【手続補正書】
【提出日】平成18年5月14日(2006.5.14)
【手続補正１】
【補正対象書類名】明細書
【補正対象項目名】特許請求の範囲
【補正方法】変更
【補正の内容】
【特許請求の範囲】
【請求項１】
遠隔の相手方との間でネットワークを介して交信中のユーザーの動作であって、「前記ユーザーの側に存在する、所定の内容が表示されている書類等の表示媒体」に関して前記ユーザーが行う所定の動作を、検知するためのユーザー動作検知手段と、
前記ユーザー動作検知手段からの出力に基づいて、前記表示媒体に表示されている表示内容を示す表示内容データを、前記表示内容データが記録されているデータ記録装置から取り出すための表示内容データ取り出し手段と、
前記表示内容データ取り出し手段により前記表示内容データが取り出されたとき、その取り出された表示内容データを、略リアルタイムに、前記遠隔の相手方の側に表示させるように、前記遠隔の相手方に送信するための表示内容データ送信手段と、
を備え、
前記表示内容データ取り出し手段は、
前記表示媒体に表示されている表示内容の映像を取得するための映像取得手段と、
前記映像取得手段により取得された映像に基づいて、前記表示内容データを検索するための「キーワードなどの文字列、バーコードなどの識別コード、その他の検索用データ」を取得するための検索用データ取得手段と、
前記検索用データ取得手段により取得された検索用データに基づいて、前記データ記録装置から、前記検索用データに対応する表示内容データを検索するための検索手段と、
を含んでいる、ことを特徴とする書類データ等送信システム。
【請求項２】
遠隔の相手方との間でネットワークを介して交信中のユーザーの動作であって、「前記ユーザーの側に存在する、所定の内容が表示されている書類等の表示媒体」に関して前記ユーザーが行う所定の動作を、検知するためのユーザー動作検知手段と、
前記ユーザー動作検知手段からの出力に基づいて、前記表示媒体に表示されている表示内容を示す表示内容データを、前記表示内容データが記録されているデータ記録装置から取り出すための表示内容データ取り出し手段と、
前記表示内容データ取り出し手段により前記表示内容データが取り出されたとき、その取り出された表示内容データを、略リアルタイムに、前記遠隔の相手方の側に表示させるように、前記遠隔の相手方に送信するための表示内容データ送信手段と、
を備え、
前記表示内容データ取り出し手段は、
前記表示媒体に備えられており、前記表示媒体の表示内容を識別するための識別データを赤外線や電波などの無線により外部に送信するための識別データ送信手段と、
前記識別データ送信手段から無線により送信された識別データを受信するための識別データ受信手段と、
前記識別データ受信手段により受信された識別データに基づいて、前記データ記録装置から、前記識別データに対応する表示内容データを検索するための検索手段と、
を含んでいる、ことを特徴とする書類データ等送信システム。
【請求項３】
遠隔の相手方との間でネットワークを介して交信中のユーザーの動作であって、「前記ユーザーが、その手に所持している、所定の内容が表示されている書類等の表示媒体を、自らの前方に向けて、自らを撮影しているカメラの方向に向けて、又は、自らの前方の画面に表示されている相手方の画像に向けて、差し出す動作」を、検知するためのユーザー動作検知手段と、
前記表示媒体に表示されている表示内容の映像を取得するための映像取得手段と、
前記ユーザー動作検知手段からの出力及び前記映像取得手段により取得される映像に基づいて、「前記ユーザーが所持している書類等の表示媒体に表示されている表示内容の映像」及び／又は「この映像に基づいて取得された図形、画像、若しくは文字のデータ」を、略リアルタイムに、前記遠隔の相手方の側に表示させるように、前記遠隔の相手方に送信するための表示内容データ送信手段と、
を備えたことを特徴とする書類データ等送信システム。
【請求項４】
遠隔の相手方との間でネットワークを介して交信中のユーザーの動作であって、「前記ユーザーが、その手に所持している、所定の内容が表示されている書類等の表示媒体を、自らの前方に向けて、自らを撮影しているカメラの方向に向けて、又は、自らの前方の画面に表示されている相手方の画像に向けて、差し出す動作」を、検知するためのユーザー動作検知手段と、
前記ユーザー動作検知手段により前記差し出す動作が検知されたとき、前記表示媒体に表示されている表示内容を示す表示内容データを、前記表示内容データが記録されているデータ記録装置から取り出すための表示内容データ取り出し手段と、
前記表示内容データ取り出し手段により前記表示内容データが取り出されたとき、その取り出された表示内容データを、略リアルタイムに、前記遠隔の相手方の側に表示させるように、前記遠隔の相手方に送信するための表示内容データ送信手段と、
を備えたことを特徴とする書類データ等送信システム。
【請求項５】
請求項４において、
前記表示内容データ取り出し手段は、
前記表示媒体に表示されている表示内容の映像を取得するための映像取得手段と、
前記映像取得手段により取得された映像に基づいて、前記表示内容データを検索するための「キーワードなどの文字列、バーコードなどの識別コード、その他の検索用データ」を取得するための検索用データ取得手段と、
前記検索用データ取得手段により取得された検索用データに基づいて、前記データ記録装置から、前記検索用データに対応する表示内容データを検索するための検索手段と、
を含んでいる、ことを特徴とする書類データ等送信システム。
【請求項６】
請求項４において、
前記表示内容データ取り出し手段は、
前記表示媒体に備えられており、前記表示媒体の表示内容を識別するための識別データを赤外線や電波などの無線により外部に送信するための識別データ送信手段と、
前記識別データ送信手段から無線により送信された識別データを受信するための識別データ受信手段と、
前記識別データ受信手段により受信された識別データに基づいて、前記データ記録装置から、前記識別データに対応する表示内容データを検索するための検索手段と、
を含んでいる、ことを特徴とする書類データ等送信システム。
【請求項７】
請求項１から６までのいずれかにおいて、
前記ユーザーの画像を、略リアルタイムに、前記遠隔の相手方の側に表示させるように、前記遠隔の相手方に送信するためのユーザー画像送信手段、を備えたことを特徴とする書類データ等送信システム。
【手続補正２】
【補正対象書類名】明細書
【補正対象項目名】０００５
【補正方法】変更
【補正の内容】
【０００５】
本願の特許請求の範囲に記載された発明は次のとおりである。
１．遠隔の相手方との間でネットワークを介して交信中のユーザーの動作であって、「前記ユーザーの側に存在する、所定の内容が表示されている書類等の表示媒体」に関して前記ユーザーが行う所定の動作を、検知するためのユーザー動作検知手段と、前記ユーザー動作検知手段からの出力に基づいて、前記表示媒体に表示されている表示内容を示す表示内容データを、前記表示内容データが記録されているデータ記録装置から取り出すための表示内容データ取り出し手段と、前記表示内容データ取り出し手段により前記表示内容データが取り出されたとき、その取り出された表示内容データを、略リアルタイムに、前記遠隔の相手方の側に表示させるように、前記遠隔の相手方に送信するための表示内容データ送信手段と、を備え、前記表示内容データ取り出し手段は、前記表示媒体に表示されている表示内容の映像を取得するための映像取得手段と、前記映像取得手段により取得された映像に基づいて、前記表示内容データを検索するための「キーワードなどの文字列、バーコードなどの識別コード、その他の検索用データ」を取得するための検索用データ取得手段と、前記検索用データ取得手段により取得された検索用データに基づいて、前記データ記録装置から、前記検索用データに対応する表示内容データを検索するための検索手段と、を含んでいる、ことを特徴とする書類データ等送信システム。
２．遠隔の相手方との間でネットワークを介して交信中のユーザーの動作であって、「前記ユーザーの側に存在する、所定の内容が表示されている書類等の表示媒体」に関して前記ユーザーが行う所定の動作を、検知するためのユーザー動作検知手段と、前記ユーザー動作検知手段からの出力に基づいて、前記表示媒体に表示されている表示内容を示す表示内容データを、前記表示内容データが記録されているデータ記録装置から取り出すための表示内容データ取り出し手段と、前記表示内容データ取り出し手段により前記表示内容データが取り出されたとき、その取り出された表示内容データを、略リアルタイムに、前記遠隔の相手方の側に表示させるように、前記遠隔の相手方に送信するための表示内容データ送信手段と、を備え、前記表示内容データ取り出し手段は、前記表示媒体に備えられており、前記表示媒体の表示内容を識別するための識別データを赤外線や電波などの無線により外部に送信するための識別データ送信手段と、前記識別データ送信手段から無線により送信された識別データを受信するための識別データ受信手段と、前記識別データ受信手段により受信された識別データに基づいて、前記データ記録装置から、前記識別データに対応する表示内容データを検索するための検索手段と、を含んでいる、ことを特徴とする書類データ等送信システム。
３．遠隔の相手方との間でネットワークを介して交信中のユーザーの動作であって、「前記ユーザーが、その手に所持している、所定の内容が表示されている書類等の表示媒体を、自らの前方に向けて、自らを撮影しているカメラの方向に向けて、又は、自らの前方の画面に表示されている相手方の画像に向けて、差し出す動作」を、検知するためのユーザー動作検知手段と、前記表示媒体に表示されている表示内容の映像を取得するための映像取得手段と、前記ユーザー動作検知手段からの出力及び前記映像取得手段により取得される映像に基づいて、「前記ユーザーが所持している書類等の表示媒体に表示されている表示内容の映像」及び／又は「この映像に基づいて取得された図形、画像、若しくは文字のデータ」を、略リアルタイムに、前記遠隔の相手方の側に表示させるように、前記遠隔の相手方に送信するための表示内容データ送信手段と、を備えたことを特徴とする書類データ等送信システム。
４．遠隔の相手方との間でネットワークを介して交信中のユーザーの動作であって、「前記ユーザーが、その手に所持している、所定の内容が表示されている書類等の表示媒体を、自らの前方に向けて、自らを撮影しているカメラの方向に向けて、又は、自らの前方の画面に表示されている相手方の画像に向けて、差し出す動作」を、検知するためのユーザー動作検知手段と、前記ユーザー動作検知手段により前記差し出す動作が検知されたとき（例えば、前記ユーザー動作検知手段からの出力に基づいて）、前記表示媒体に表示されている表示内容を示す表示内容データを、前記表示内容データが記録されているデータ記録装置から取り出すための表示内容データ取り出し手段と、前記表示内容データ取り出し手段により前記表示内容データが取り出されたとき、その取り出された表示内容データを、略リアルタイムに、前記遠隔の相手方の側に表示させるように、前記遠隔の相手方に送信するための表示内容データ送信手段と、を備えたことを特徴とする書類データ等送信システム。
５．上記４において、前記表示内容データ取り出し手段は、前記表示媒体に表示されている表示内容の映像を取得するための映像取得手段と、前記映像取得手段により取得された映像に基づいて、前記表示内容データを検索するための「キーワードなどの文字列、バーコードなどの識別コード、その他の検索用データ」を取得するための検索用データ取得手段と、前記検索用データ取得手段により取得された検索用データに基づいて、前記データ記録装置から、前記検索用データに対応する表示内容データを検索するための検索手段と、を含んでいる、ことを特徴とする書類データ等送信システム。
６．上記４において、前記表示内容データ取り出し手段は、前記表示媒体に備えられており、前記表示媒体の表示内容を識別するための識別データを赤外線や電波などの無線により外部に送信するための識別データ送信手段と、前記識別データ送信手段から無線により送信された識別データを受信するための識別データ受信手段と、前記識別データ受信手段により受信された識別データに基づいて、前記データ記録装置から、前記識別データに対応する表示内容データを検索するための検索手段と、を含んでいる、ことを特徴とする書類データ等送信システム。
７．上記１から６までのいずれかにおいて、前記ユーザーの画像を、略リアルタイムに、前記遠隔の相手方の側に表示させるように、前記遠隔の相手方に送信するためのユーザー画像送信手段、を備えたことを特徴とする書類データ等送信システム。
また、本明細書は次のような発明も含む。
Ａ．送信側のユーザーの画像を、ほぼリアルタイムに、交信中の遠隔の相手方に送信するユーザー画像送信手段と、送信側のユーザーが行う、「その手に所持している書類等の表示媒体を前記相手方に向けて（「自己の前方」又は「自己を撮像しているカメラの方向」に）差し出すような動作」を、ほぼリアルタイムに検知する差し出し動作検知手段と、この差し出し動作検知手段からの出力に基づいて、前記ユーザーが所持している書類等の表示媒体に表示されたデータを相手方に送信する書類データ等送信手段と、を備えたことを特徴とする書類送信システム。
Ｂ．互いに遠隔の地に居る複数のユーザーが互いの画像をほぼリアルタイムに相手方に送信するユーザー画像送信手段と、相手方から送信された画像を目の前に表示させるためのユーザー画像表示手段と、送信側のユーザーが行う、「その手に所持している書類等の表示媒体を、前記ユーザー画像表示手段により表示された相手方の画像に向けて、差し出すような動作」を、ほぼリアルタイムに検知する差し出し動作検知手段と、この差し出し動作検知手段からの出力に基づいて、前記ユーザーが所持している書類等の表示媒体に表示されたデータを相手方に送信する書類データ等送信手段と、を備えたことを特徴とする書類送信システム。
Ｃ．上記Ａ又はＢにおいて、さらに、前記書類データ等送信手段により送信されたデータを、ほぼリアルタイムに、前記遠隔の相手方に見えるように表示させるデータ表示手段、を備えたことを特徴とする書類データ等送信システム。